(57)【特許請求の範囲】
【請求項１】
直列接続された複数個の二次電池のそれぞれの両端に接続されたオン・オフ可能な放電手段と、
前記複数個の二次電池の端子電圧のばらつき度合いを第１の設定値と比較して判定する第１の判定手段と、
前記複数個の二次電池の容量のばらつき度合いを第２の設定値と比較して判定する第２の判定手段と、
前記第１および第２の判定手段の判定結果に基づいて前記放電手段を制御する制御手段とを備え、
前記制御手段は、
(a) 前記第１の判定手段により前記端子電圧のばらつき度合いが第１の設定値を越えたと判定され、かつ前記第２の判定手段により前記容量のばらつき度合いが第２の設定値以下と判定されたとき、前記複数個の二次電池のうち端子電圧が最大値を示す二次電池に接続された前記放電手段をオン状態とし、該端子電圧が所定値まで低下した時点で該放電手段をオフ状態として該最大値を示す二次電池の電圧補正を行い、
(b) 前記第１の判定手段により前記端子電圧のばらつき度合いが第１の設定値を越えたと判定され、かつ前記第２の判定手段により前記容量のばらつき度合いが第２の設定値を越えたと判定されたときは、前記放電手段をオフ状態に維持して該電圧補正を禁止する
ことを特徴とする二次電池の電圧補正回路。
【請求項２】
前記放電手段は、前記複数個の二次電池のそれぞれの両端に直列接続されたスイッチ素子と抵抗素子からなることを特徴とする請求項１に記載の二次電池の電圧補正回路。
【請求項３】
前記第１の判定手段は、
(a) 前記複数個の二次電池の端子電圧の最大値と最小値との電圧差、(b) 前記複数個の二次電池の端子電圧の最大値と平均値との電圧差、(c) 前記複数個の二次電池の端子電圧の最大値と端子電圧が最大値を示す二次電池を除いた他の二次電池の端子電圧の平均値との電圧差のいずれかと第１の設定値とを比較して前記端子電圧のばらつき度合いを判定することを特徴とする請求項１記載の二次電池の電圧補正回路。
【請求項４】
前記第２の判定手段は、前記複数個の二次電池の放電終了時の端子電圧の最大値と最小値との電圧差をＶｃとし、前記複数個の二次電池の充電に際して前記電圧補正を行ったときと行わなかったときのＶｃの値をそれぞれＶc1、Ｖc2としたとき、Ｖc1−Ｖc2の値を第２の設定値と比較して前記容量のばらつき度合いを判定することを特徴とする請求項１記載の二次電池の電圧補正回路。
【請求項５】
前記制御手段は、オン状態にある前記放電手段に接続された二次電池の端子電圧が(a) 他の二次電池の端子電圧のうちの最小値の電圧まで低下した時点、(b) 他の二次電池の端子電圧の平均値の電圧まで低下した時点、(c) 前記複数個の二次電池の端子電圧の平均値まで低下した時点のいずれかの時点で該放電手段をオフ状態とすることを特徴とする請求項１項記載の二次電池の電圧補正回路。
【発明の詳細な説明】
【０００１】
【発明の属する技術分野】
本発明は、二次電池の電圧補正回路に係り、特に直列接続された複数個の二次電池の端子電圧のばらつきを補正するための電圧補正回路に関する。
【０００２】
【従来の技術】
リチウム二次電池などの非水溶媒系二次電池や鉛蓄電池は、放電や放置で端子電圧が低下し過ぎたり、あるいは逆に充電中に端子電圧が高くなり過ぎると、電池性能が劣化したり、安全性が損なわれることがある。このため、これらの二次電池では端子電圧を監視して、端子電圧が所定範囲内となるように充電や放電を制御して使用する必要があった。
【０００３】
特に、リチウム二次電池の場合には、例えば端子電圧が２Ｖ以下となると、負極に使われている集電体の銅が電解液内に溶解し始めて電池性能が劣化し、また端子電圧が４．５Ｖ以上になると、電解液の分解によりガスが発生し、その結果電池内部の圧力が上昇して安全弁が作動し、漏液することがある。そのため、リチウム二次電池を使用する場合には、端子電圧が低下して予め設定した放電禁止電圧に達すると放電電流を遮断し、端子電圧が上昇して充電禁止電圧に達すると充電を遮断する機能を有する保護回路を介して充放電を行うようにすることが一般的である。放電禁止電圧は、負極の銅が溶解し始める電圧２Ｖより若干高い電圧（例えば２．３Ｖ）に設定され、充電禁止電圧は電解液の分解が始まる電圧より若干低い電圧（例えば４．３５Ｖ）に設定される。
【０００４】
また、従来の二次電池の保護回路では、複数個の二次電池を直列接続して用いる場合は、個々の端子電圧を検出して同様の保護動作を行っていた。すなわち、複数個の二次電池を直列接続して使用する場合、電池毎に端子電圧を検出し、いずれかの電池の端子電圧が放電禁止電圧以下に達すると放電を禁止し、また、いずれかの電池の端子電圧が充電禁止電圧以上に達すると充電を禁止することによって、二次電池を保護する方法をとっていた。
【０００５】
【発明が解決しようとする課題】
しかしながら、上述した従来の保護回路では、複数個の二次電池を直列接続して使用する場合に、各々の二次電池の充電量、自己放電量や容量が異なっていると、各二次電池の端子電圧がばらつきを生じる。
【０００６】
このため、放電時には充電量の少ない電池の端子電圧が他の電池の端子電圧より早く低下して放電禁止電圧に達してしまい、二次電池の端子電圧は平均的に十分高くとも放電が停止してしまうことがある。また、充電時は逆に充電量の多い電池が充電禁止電圧に早く達してしまうことにより、満充電まで充電ができず、使用時間が短くなってしまう。さらに、このような不都合を避けようとすると、各電池をそれぞれの端子電圧を揃えてから直列接続して使用しなければならないという煩雑さがある。
【０００７】
一方、パーソナルコンピュータのようにＲＡＭなどの揮発性記憶装置を内蔵している機器では、電源に使用される二次電池の端子電圧が低下すると、揮発性記憶装置のデータをハードディスクなどの不揮発性記憶装置に転送してデータの消失を防止するようにしている。しかし、このような機器で従来の保護回路を使用した場合には、充電量の少ない、あるいは自己放電量の多い一部の二次電池の端子電圧が低下して放電禁止電圧に達してしまうと、その時点で二次電池の端子電圧が平均的に十分高くとも突然機器への放電が遮断してしまうことがあり、その結果、揮発性記憶装置のデータが消失してしまうという問題があった。
【０００８】
本発明は、直列接続された複数個の二次電池の充電量や放電量のばらつきを補正して、放電時や充電時の上述した不都合を回避できる二次電池の電圧補正回路を提供することを目的とする。
【０００９】
【課題を解決するための手段】
上記課題を解決するため、本発明は直列接続された複数個の二次電池の端子電圧ばらつきを求め、このばらつきを補正するように二次電池を放電させるようにしたことを骨子とする。
【００１０】
すなわち、本発明に係る二次電池の電圧補正回路は、直列接続された複数個の二次電池のそれぞれの両端に接続されたオン・オフ可能な放電手段と、複数個の二次電池の端子電圧のばらつき度合いを第１の設定値と比較して判定する第１の判定手段と、複数個の二次電池の容量のばらつき度合いを第２の設定値と比較して判定する第２の判定手段と、第１および第２の判定手段の判定結果に基づいて放電手段を制御する制御手段とを有する。
【００１１】
そして、制御手段は(a) 第１の判定手段により端子電圧のばらつき度合いが第１の設定値を越えたと判定され、かつ第２の判定手段により容量のばらつき度合いが第２の設定値以下と判定されたとき、複数個の二次電池のうち端子電圧が最大値を示す二次電池に接続された放電手段をオン状態とし、該端子電圧が所定値まで低下した時点で該放電手段をオフ状態として該最大値を示す二次電池の電圧補正を行い、(b) 第２の判定手段により容量のばらつき度合いが第２の設定値を越えたと判定されたときは、第１の判定手段の判定結果に関係なく放電手段をオフ状態に維持して該電圧補正を禁止する。
【００１２】
このように構成される本発明による二次電池の電圧補正回路では、直列接続された複数個の二次電池の端子電圧が何らかの原因でばらつきを生じ、ばらつきが大きくなったとき、端子電圧が最大値を示す二次電池を放電させて、その端子電圧を例えば他の二次電池の端子電圧と略同一の電圧まで低下させて電圧補正を行うことにより、端子電圧のばらつきを小さくすることができる。すなわち、充電量や自己放電量の違いによる二次電池の端子電圧のばらつきが補正される。
【００１３】
また、この電圧補正回路では、端子電圧のばらつきが大きい場合でも、容量のばらつきが大きいときは二次電池の放電を行わず、電圧補正を禁止する。こうすることにより、放電時に端子電圧が平均的に高い状態にもかかわらず、放電が遮断されてしまうことはない。
【００１４】
すなわち、複数の二次電池それぞれの端子電圧のばらつきが大きい場合でかつ容量のばらつきも大きい場合に電圧補正が働くと、端子電圧が平均的に低い状態となり、使用時間が短くなる。そこで、本発明では容量のばらつきが大きいときには電圧補正を禁止することにより、このような弊害を防止している。
【００１５】
従って、パーソナルコンピュータのように揮発性記憶装置を内蔵し、二次電池の端子電圧が低下すると揮発性記憶装置のデータを不揮発性記憶装置に転送してデータの消失を防止するような機器の電源として二次電池を使用する場合、一部の二次電池の端子電圧が早く低下して放電禁止電圧に達してしまうことにより放電が突然遮断してしまうことがなく、揮発性記憶装置のデータが確実に保存される。
【００１６】
一方、充電時には全ての二次電池が均等に充電されるために、満充電まで確実に充電が行われ、使用時間が長くなる。しかも、従来のように複数個の二次電池の端子電圧を揃えてから直列接続するという煩雑な手間が不要となる。
【００１７】
本発明において、放電手段は例えば複数個の二次電池のそれぞれの両端に直列接続されたスイッチ素子と抵抗素子によって構成され、制御手段によりスイッチ素子がオン／オフ制御されることにより放電状態のオン／オフが行われる。
【００１８】
また、本発明における第１の判定手段は、具体的には例えば(a) 複数個の二次電池の端子電圧の最大値と最小値との電圧差、(b) 複数個の二次電池の端子電圧の最大値と平均値との電圧差、(c) 複数個の二次電池の端子電圧の最大値と端子電圧が最大値を示す二次電池を除いた他の二次電池の端子電圧の平均値との電圧差のいずれかと第１の設定値とを比較することによって、端子電圧のばらつき度合いを判定する。
【００１９】
また、本発明における第２の判定手段は、具体的には例えば複数個の二次電池の放電終了時の端子電圧の最大値と最小値との電圧差をＶｃとし、複数個の二次電池の充電に際して電圧補正を行ったときと行わなかったときのＶｃの値をそれぞれＶc1、Ｖc2としたとき、Ｖc1−Ｖc2の値を第２の設定値と比較することによって、容量のばらつき度合いを判定する。
【００２０】
さらに、本発明における制御手段は、オン状態にある放電手段に接続された二次電池の端子電圧が(a) 他の二次電池の端子電圧のうちの最小値の電圧まで低下した時点、(b) 他の二次電池の端子電圧の平均値の電圧まで低下した時点、(c) 複数個の二次電池の端子電圧の平均値まで低下した時点のいずれかの時点でその放電手段をオフ状態とする。
【００２１】
ただし、複数個の二次電池の直列接続した両端の電圧が所定値以下の場合、または複数個の二次電池の端子電圧の最大値が所定値以下の場合は、放電手段をオン状態としないようにすることが望ましい。
【００２２】
【発明の実施の形態】
以下、本発明の一実施形態を図面を参照して説明する。
図１は、本発明の一実施形態に係る二次電池の電圧補正回路を示すブロック図である。同図において、二次電池群１は複数個（この例では、３個）の二次電池Ｂ１，Ｂ２，Ｂ３を直列接続して構成されている。二次電池Ｂ１の＋端子は外部接続端子ａに、二次電池Ｂ１の−端子と二次電池Ｂ２の＋端子は外部接続端子ｂに、二次電池Ｂ２の−端子と二次電池Ｂ３の＋端子は外部接続端子ｃに、二次電池Ｂ３の−端子は外部接続端子ｄにそれぞれ接続されている。
【００２３】
ＳＷ１，ＳＷ２，ＳＷ３はスイッチ素子、Ｒ１，Ｒ２，Ｒ３は放電用抵抗であり、スイッチ素子ＳＷ１と抵抗Ｒ１とで第１の放電回路２を構成し、スイッチ素子ＳＷ２と抵抗Ｒ２とで第２の放電回路３を構成し、スイッチ素子ＳＷ３と抵抗Ｒ３とで第３の放電回路４を構成している。第１の放電回路２の両端は二次電池群１の外部接続端子ａ，ｂに、第２の放電回路３の両端は二次電池群１の外部接続端子ｂ，ｃに、第３の放電回路４の両端は二次電池群１の外部接続端子ｃ，ｄにそれぞれ接続されている。
【００２４】
切替回路５は、切替接点ｅ，ｆ，ｇと共通接点ｋからなる第１の切替スイッチＳＷ４と、切替接点ｈ，ｉ，ｊと共通接点ｌからなる第２の切替スイッチＳＷ５とで構成され、スイッチＳＷ４とＳＷ５は連動している。すなわち、共通接点ｋが切替接点ｅに切り替えられたときは、共通接点ｌは切替接点ｈに切り替えられ、共通接点ｋが切替接点ｆに切り替えられたときは共通接点ｌは切替接点ｉに切り替えられ、共通接点ｋが切替接点ｇに切り替えられたときは共通接点ｌは切替接点ｊに切り替えられる。そして、切替回路５の第１の切替スイッチＳＷ４の切替接点ｅ，ｆ，ｇは二次電池群１の端子ａ，ｂ，ｃにそれぞれ接続され、第２の切替スイッチＳＷ５の切替接点ｈ，ｉ，ｊは二次電池群１の端子ｂ，ｃ，ｄにそれぞれ接続されている。
【００２５】
切替回路５の第１および第２の切替スイッチＳＷ４，ＳＷ５の共通端子ｋ，ｌは、差動増幅器６の入力端子ｍ，ｎにそれぞれ接続される。差動増幅器６はオペアンプＡと複数個の抵抗からなり、入力端子ｍ，ｎ間の電圧差に相当する電圧を出力端子Ｏに発生する。これら切替回路５と差動増幅器６によって、二次電池群１における二次電池Ｂ１，Ｂ２，Ｂ３の個々の端子電圧を測定する電圧測定回路が構成されている。
【００２６】
差動増幅器６の出力端子Ｏは、マイクロコントローラ７の入力端子Ｐに接続される。マイクロコントローラ７はＡ／Ｄコンバータを内蔵しており、このＡ／Ｄコンバータによって入力端子Ｐに入力される差動増幅器６の出力電圧をディジタル値に変換する。このＡ／Ｄコンバータにより得られたディジタル値から、マイクロコントローラ７での内部のプログラムによるソフトウェア処理によって、切替回路５と差動増幅器６およびＡ／Ｄコンバータで測定された二次電池Ｂ１，Ｂ２，Ｂ３の端子電圧のばらつきの度合いを第１の設定値と比較して判定する第１の判定と、二次電池Ｂ１，Ｂ２，Ｂ３の容量のばらつき度合いを第２の設定値と比較して判定する第２の判定が行われる。
【００２７】
マイクロコントローラ７は、切替スイッチ５の切替接点を選択するための制御信号を出力端子Ｑより出力する。この出力端子Ｑからの制御信号によって、共通端子ｋとｌは切替接点ｅとｈ、切替接点ｆとｉ、切替接点ｇとｊに順次切り替えられる。
【００２８】
さらに、マイクロコントローラ７は上記第１および第２の判定結果に基づいて放電回路２，３，４のスイッチＳＷ１，ＳＷ２，ＳＷ３のＯＮ／ＯＦＦ制御を行う。すなわち、マイクロコントローラ７は、さらに３つの出力端子Ｒ，Ｓ，Ｔを備えており、出力端子Ｒを介して放電回路２のスイッチ素子ＳＷ１をＯＮ／ＯＦＦ制御し、出力端子Ｓを介して放電回路３のスイッチ素子ＳＷ２をＯＮ／ＯＦＦ制御し、出力端子Ｔを介して放電回路４のスイッチ素子ＳＷ３をＯＮ／ＯＦＦ制御する。
【００２９】
次に、このように構成された図１の二次電池の電圧補正回路の動作について、図２のフローチャートを用いて説明する。
充電が開始すると、二次電池Ｂ１，Ｂ２，Ｂ３の端子電圧が検出される（ステップＳ１０）。この場合、マイクロコントローラ７からの制御により切替回路５のスイッチＳＷ４，ＳＷ５は二次電池Ｂ１を選択し、差動増幅器６は二次電池Ｂ１の端子電圧に相当する電圧を発生する。この差動増幅器６の出力電圧は、マイクロコントローラ７の入力端子Ｐに入力され、Ａ／Ｄコンバータでディジタル値に変換された後、メモリに記憶される。以下、同様にして切替回路５のスイッチＳＷ４，ＳＷ５は二次電池Ｂ２，Ｂ３を順次選択し、そのときの差動増幅器６の出力電圧がマイクロコントローラ７に入力され、ディジタル値に変換された後、メモリに記憶される。
【００３０】
こうして、二次電池Ｂ１，Ｂ２，Ｂ３の端子電圧が全てディジタル値としてメモリに記憶されると、次に第１の判定、つまりＢ１，Ｂ２，Ｂ３の端子電圧のばらつき度合いの判定が行われる（ステップＳ１１）。すなわち、ステップＳ１１では、メモリに記憶された二次電池Ｂ１，Ｂ２，Ｂ３の端子電圧のうちの最大値Ｖmax と最小値Ｖmin が求められ、両者の差つまり端子電圧のばらつき度合いが第１の設定値Ｖａと大小比較される。ここで、通常は二次電池Ｂ１，Ｂ２，Ｂ３の端子電圧の差はほとんどなく、Ｖmax −Ｖmin ≦Ｖａであるため（ステップＳ１１でＮＯ）、ステップＳ１０に戻って端子電圧の検出が続行される。
【００３１】
一方、何らかの原因、例えば充電量や自己放電量の違いにより二次電池Ｂ１，Ｂ２，Ｂ３の端子電圧に大きなばらつきが発生すると、Ｖmax −Ｖmin ＞Ｖａとなり（ステップＳ１１でＹＥＳ）、この場合はステップＳ１２に進んで第２の判定、つまりＢ１，Ｂ２，Ｂ３の容量のばらつき度合いの判定が行われる。すなわち、ステップＳ１２では、予めメモリに記憶保持されていたＶc1とＶc2の差が第２の設定値Ｖｂと大小比較される。但し、
Ｖｃ：放電終了時のＶmax −Ｖmin の値
Ｖc1：充電に際して、電圧補正が行われたときのＶｃの値
Ｖc2：充電に際して、電圧補正が行われなかったときのＶｃの値
であり、Ｖc1−Ｖc2は二次電池Ｂ１，Ｂ２，Ｂ３の容量のばらつき度合いを表している。
【００３２】
ここで、通常は二次電池Ｂ１，Ｂ２，Ｂ３の容量はほぼ同じなので、後述する電圧補正が行われれば、Ｂ１，Ｂ２，Ｂ３のそれぞれの充電量が調整され、放電時の端子電圧のばらつきも、電圧補正が行われなかったときと比較すると小さいので、Ｂ１，Ｂ２，Ｂ３の端子電圧が平均的に高くとも、放電時に放電が遮断されることはない。
【００３３】
これに対し、二次電池Ｂ１，Ｂ２，Ｂ３の容量のばらつきが大きくなると、容量の少ない二次電池は容量の多い二次電池に比較して、充電時には過充電、放電時には過放電となる傾向があるため、電圧補正が行われると容量の少ない二次電池を放電させることになり、放電時にさらに過放電となってしまう。この結果、電圧補正を行うと、放電時に二次電池Ｂ１，Ｂ２，Ｂ３の端子電圧が平均的に高くとも放電が遮断され、電圧補正動作が逆効果となる可能性がある。
【００３４】
そこで、二次電池Ｂ１，Ｂ２，Ｂ３の容量のばらつきが小さく、Ｖc1−Ｖc2≦Ｖｂのとき（ステップＳ１２でＮＯ）には、ステップＳ１３に進んで電圧補正を行うが、容量のばらつきが大きくＶc1−Ｖc2＞Ｖｂのとき（ステップＳ１２でＹＥＳ）には、電圧補正を行わず、ステップＳ１０に戻って端子電圧の検出を続行する。このようにすれば、容量のばらつきが大きい場合に電圧補正を行うことによる上記のような弊害を避けることができる。
【００３５】
ステップＳ１３の電圧補正においては、二次電池Ｂ１，Ｂ２，Ｂ３のうち端子電圧が最大値を示す電池に接続されている放電回路のスイッチをＯＮ状態としてその二次電池の放電を開始させ、この端子電圧が二次電池Ｂ１，Ｂ２，Ｂ３の端子電圧のうちの最小値まで低下した時点でそのスイッチをＯＦＦ状態として放電を終了させる。
【００３６】
このように、本発明では直列接続した複数の二次電池Ｂ１，Ｂ２，Ｂ３の端子電圧が何らかの原因でばらつきが生じても、最大の端子電圧を示す二次電池を放電させて端子電圧を下げて電圧補正を行うことにより、端子電圧のばらつきを小さくすることができる。
【００３７】
また、本発明では特に二次電池Ｂ１，Ｂ２，Ｂ３の容量のばらつきが大きい場合には、端子電圧のばらつきが大きくとも電圧補正を禁止することにより、このような場合の電圧補正の弊害を避けることができる。
【００３８】
本発明は、上記実施形態に限定されるものではなく、次のように種々変形して実施することができる。
（１）上記実施形態では、二次電池を３個直列接続した例で説明したが、２個あるいは４個以上の二次電池を直列接続した場合にも本発明の電圧補正回路を適用することができる。
【００３９】
（２）上記実施形態では、複数個の二次電池Ｂ１，Ｂ２，Ｂ３の端子電圧のばらつき度合いとして最大値と最小値との電圧差を求め、これを第１の設定値と比較したが、端子電圧のばらつき度合いとして最大値と平均値の電圧差、あるいは最大値と最大値を除いた他の端子電圧の平均値との電圧差を求めて第１の設定値と比較してもよい。
【００４０】
（３）上記実施形態では、電圧補正に際して端子電圧が最大値を示す二次電池を端子電圧が最小値を示す電池の端子電圧となるまで放電させるようにしたが、全ての二次電池の端子電圧の平均値、あるいは端子電圧が最大値を示した二次電池を除く二次電池（すなわち、電圧補正を行っていない二次電池）の端子電圧の平均値にまで低下したら放電を停止するようにしてもよい。
【００４１】
（４）上記実施形態では、充電中の端子電圧のみを監視しているが、充電開始直後は、端子電圧が安定しないことがあるため、充電開始から一定時間は端子電圧の監視動作を禁止するようにしてもよい。
【００４２】
（５）上記実施形態では、充電時に電圧補正を行った場合についして説明したが、放電時または休止時に電圧補正を行う場合にも本発明を適用することができる。
その他、本発明は要旨を逸脱しない範囲で種々変形して実施することが可能である。
【００４３】
【発明の効果】
以上説明したように、本発明によれば直列接続された複数個の二次電池の端子電圧が何らかの原因でばらつきを生じた場合、最大の端子電圧を示す二次電池を放電させ、他の二次電池の端子電圧とほぼ同一の電圧まで低下させて電圧補正を行うことにより、端子電圧のばらつきを小さく抑えることができる。すなわち、充電量や自己放電量のばらつきがあっても、それらを自動的に補正することができる。
【００４４】
さらに、複数個の二次電池の容量のばらつきが大きいときは、端子電圧のばらつきが大きくとも電圧補正を行わないようにしたことにより、電圧補正により容量の少ない二次電池を放電させて過放電としてしまったり、充電時の端子電圧のばらつきを逆に電圧補正によって大きくしてしまうことがなく、これによって端子電圧が平均的に高くとも放電が遮断され電圧補正が逆効果となるような弊害を避けることができる。
【００４５】
従って、放電時に二次電池の端子電圧が平均的に高い状態で放電が遮断されることはないので、パーソナルコンピュータのように電源である二次電池の端子電圧が低下したとき揮発性記憶装置のデータを不揮発性記憶装置に転送してデータの消失を防止するような機器の場合、一部の二次電池の端子電圧が早く低下して放電禁止電圧に達してしまい、放電が突然遮断してしまうことによる揮発性記憶装置のデータの消失を避けることが可能となる。
【００４６】
一方、複数個の二次電池の充電時には、全ての二次電池が均等に充電されるために、満充電まで確実に充電を行うことができ、二次電池全体としての使用時間を長くすることができ、さらに従来のように複数個の二次電池の端子電圧を揃えてから直列接続するという煩雑な手間が不要となる。
【図面の簡単な説明】
【図１】本発明の一実施形態に係る二次電池の電圧補正回路の構成を示すブロック図
【図２】同実施形態の動作を説明するためのフローチャート
【符号の説明】
１…二次電池群
Ｂ１，Ｂ２，Ｂ３…二次電池
２，３，４…放電回路
５…切替回路
６…差動増幅器
７…マイクロコントローラ
【図１】
0003934760.tif 000002
【図２】
0003934760.tif 000003